Podtech/llm-jp-corpus-v4-ja_patent huggingface dataset:
(57)【要約】
【課題】　旗やのぼり立ての台として、プランターやプランターケースそのものの自重を利用し、同時に高い景観性を得る。
【解決手段】　木材等を材料としたプランターケース１は、旗やのぼりのポール３を立て込むための支柱立て用の穴２を有する。支柱立て用の穴２には、風で旗やのぼりのポール３が動くことにより破損を回避するため管財Ａを設け、雨水の溜水を避けるため排水穴Ｂを有する。
【選択図】　図１
0003099495.tif 000002
【実用新案登録請求の範囲】
【請求項１】
プランターとプランターケースの重量を利用し、プランターケース（１）に支柱立て用の穴（２）を設け、旗やのぼりのポール（３）を立てられるようにしたプランター型の旗、のぼり立て台。
【考案の詳細な説明】
【考案の詳細な説明】
【技術分野】
【０００１】　本考案は、商業地域や広告用の旗やのぼり立てに有効である。
【背景技術】
【０００２】　従来より旗やのぼり立ての台は、コンクリートブロックや丸鋼棒が多い。これらは景観性を十分に引き出せていないものが多く、人通りの多い商業地域に設置するには、最適とは言えなかった。
【考案が解決しようとする課題】
【０００３】　コンクリート製の旗やのぼり立ての台を本考案プランターケースに変えることにより、景観性を高め広告効果を十分に発揮する。
【０００４】　プランター、プランターケースそのものの自重により、旗やのぼり立ての台として機能を果たす。
【課題を解決するための手段】
【０００５】　プランターケースにポール立て用の穴をあけて、ポールが倒れたり、抜け出したりしない所定の長さが入るようにし、旗やのぼり立ての台とする。
【考案を実施するための最良の形態】
【０００６】　考案の実施の形態について図面を参照して説明する。
　図１〜図４において、プランターケース１の材料は景観性の高い木材等を用い、総重量２０〜３０ｋｇ程度の重さとなるように構成されている。【０００７】　図２、図４において、支柱立て用の穴２の中にある管材Ａは塩化ビニール樹脂管のようなプラスチックを用い、旗やのぼりのポール３が固定されるように構成する。【０００８】　図３において、排水穴Ｂは雨水などが溜水しないよう、設置する。
【考案の効果】
　本考案は、上述のとおり構成されているので、次に記載する効果を奏する。
【０００９】　請求項１において、旗やのぼりを立て込むうえでその台となる必要な重量を、プランター、プランターの中に入る園芸土やプランターケースの自重を利用することができる。
【００１０】　請求項１において、本考案は景観性の高い木製を基本としていることから、間伐材等より製作することが可能な為、間伐材の有効利用としても大きな効果を上げる。
【図面の簡単な説明】
【図１】　プランターに旗やのぼりを設置した本考案プランター型の旗やのぼり立て台全体の斜視図。
【図２】　プランターに旗やのぼりを設置した本考案プランター型の旗やのぼり立て台の斜視図。
【図３】　本考案プランター型旗立て台の正面図。
【図４】　本考案プランター型旗立て台の平面図。
【符号の説明】
　　　１、プランターケース
　　　２、支柱立て用の穴
　　　３、旗やのぼりのポール
　　　Ａ、管材
　　　Ｂ、排水穴
【図１】
0003099495.tif 000003
【図２】
0003099495.tif 000004
【図３】
0003099495.tif 000005
【図４】
0003099495.tif 000006
(57)【要約】
【課題】飲み干す事の出来ないペットボトルの中身を、他の人と間違えることなく保存できる。
【解決手段】ペットボトルにアルファベットラベル２及びネームラベル３を貼付し、自由に名前等を貼り付ける事が出来る様にする。
【選択図】「図１」
0003099473.tif 000002
【実用新案登録請求の範囲】
【請求項１】
ペットボトルに剥ぎ取り可能な、温度変化に強い粘着式のアルファベットが記載されたラベルと、名前を貼り付けるラベルを貼付したところを特徴とする名前付きペットボトル。
【請求項２】
前記ペットボトルの側面には、ラベルが付され前記ラベルには、一文字ずつ剥ぎ取り可能な粘着式のアルファベットがＡからＺまで全て記載されたラベル（以下アルファベットラベルと云う）が３列記載されている事を、特徴とする請求項１項記載のペットボトル。
【請求項３】
前記ペットボトルの側面には、さらにラベルが付され前記ラベルには、Ｎａｍｅ：の文字が記載されており、その横が空白になった名前を貼り付けられるラベル（以下ネームラベルと云う）が付された事を特徴とする請求項１記載のペットボトル。
【請求項４】
前記ネームラベルの空白部には前記アルファベットラベルより剥ぎ取った文字を貼り付ける事が出来ることを特徴とする請求項１記載のペットボトル。
【考案の詳細な説明】
【考案の詳細な説明】
【技術分野】
【０００１】本考案は、剥ぎ取り可能な粘着式アルファベットラベル及びネームラベルを貼付したペットボトルに関するものである。
【背景技術】
【０００２】ペットボトルにアルファベットラベル及びネームラベルは貼付していない。
【考案が解決しようとする課題】
【０００３】自分の名前を記する事が出来る事により、飲み干すことの出来ないジュース等が、他の人の物と間違える事無く保存出来尚かつ遊び心の興味をもたせる。
【課題を解決するための手段】
【０００４】考案はペットボトルに剥ぎ取り可能な粘着式アルファベットラベル及びネームラベルを貼付する事で、自分の名前を記する事により問題点を解決している。
【考案を実施するための最良の形態】
【０００５】ペットボトルにアルファベットラベル及びネームラベルを貼付する。
【実施例】
【０００６】以下添付図面に従い実施例を説明する
１はペットボトル　２はアルファベットラベル　３はネームラベル。
２のアルファベットラベルより文字を剥ぎ取り３のネームラベルに添付する。
【考案の効果】
【０００７】上述の様に、本考案のアルファベットラベル及びネームラベル付きペットボトルは飲みかけのペットボトルを他の人との間違えを防ぐと共に、飲んだ後もお茶、水等を入れて持ち歩くマイボトルとして役に立ち、尚かつ遊び心の興味を持たせる事が出来る。
（第１変形例）
【０００８】図３は、第１変形列に係るペットボトル１を表す正面図である。ペットボトル１は上記図１における構成に加えて、さらに消費者がアルファベットラベル３より、自分の名前等を剥ぎ取りネームラベルに貼られている。
【図面の簡単な説明】
【図１】本考案の持ち主の名前の入ったペットボトルの実施例を示す正面図である。
【図２】本ペットボトルの背面図である。
【図３】第１変形列に係るペットボトルを示す正面図で有る。
【符号の説明】
１　ペットボトル本体
２　名前貼り付けのラベル
３　アルファベットが記載された粘着式剥ぎ取り可能ラベル
【図１】
0003099473.tif 000003
【図２】
0003099473.tif 000004
【図３】
0003099473.tif 000005
(57)【要約】　　　（修正有）【課題】指の爪の長い人、指の爪の短い人、指の大きい人、指の力が弱い人、指や手に傷害のある人、など様々な人が、わずらうことなくタブ付缶の開口を、安全で容易にできる缶タブを提供する。【解決手段】缶のタブに折り目をつけ、それより先の前面部を、先端に向って浮き上がらせることにより、缶本体上面部と缶タブとの間に適正なすき間を設けて、より簡易にタブを引き上げ、開口できるようにした、又、タブの形状を先端に向って先広くすることにより、安全面・応用面にも配慮し、その効果を一層より良いものとした。以上のことを特徴とする。【選択図】　図１
0003099474.tif 000002
【実用新案登録請求の範囲】
【請求項１】
（イ）缶本体上面部（７）の、開口用缶タブ（１）に折り目（２）をつけ、そこから先端部（５）に向かって、タブ前面部を浮き上がらせた。
（ロ）開口用缶タブ（１）の形状を先端に向かって先広くした。
以上のごとく構成された、改良の缶タブ。
【考案の詳細な説明】
【考案の詳細な説明】
【技術分野】
【０００１】　この考案は、タブ付缶の開口を容易にする、缶タブの構造改良に関するものである。
【背景技術】
【０００２】　従来、いろいろの開口用缶タブがありますが、いずれも缶タブが、缶本体上面部に近接しており、容易に開口できるものではなかった。
【考案が解決しようとする課題】
【０００３】　この考案は、様々な人▲１▼指の爪の長い人、▲２▼指の爪の短い人▲３▼指の大きい人、▲４▼指の力が弱い人、▲５▼指や手に障害のある人などが、容易にタブ付缶の開口が出来るよう、缶タブを開発しようとするものです。
【課題を解決するための手段】
【０００４】　これを図面について説明すれば
　（イ）缶本体の上面中心（４）と、缶タブ先端（５）の中間（２）に折り目をつけ、そこより缶タブを先端に向かって浮き上がらせる、ただし、缶タブの先端部（５）は、缶本体最上部（６）よりはみ出ることなく、その直前までとする。尚、折り目である中間点（２）は、缶の形状及び大小により、適正範囲を折り目（２）の前後１０ｍｍ以内とする。
　（ロ）缶タブの形状を、先端に向かって先広くする。
【考案を実施するための最良の形態】
【０００５】　以上の構成であるから、缶本体上面部（７）と缶タブ（１）の間に、適切なすき間ができて、あらゆる人が容易に開口できるのです。
【考案の効果】
【０００６】　したがって、効果として前記０００３〔考案が解決しようとする課題〕に示す様々な人が、容易にタブ付缶の開口ができます。
　又、指や手に支障有る人などは、わずかな工夫により、指の側面を使ったり、補助具を用いたり、さらには、他の物を使用しての開口も充分可能です。
【図面の簡単な説明】
【図１】本考案の全体斜視図である。
【図２】本考案の全体断面の側面図である。
【図３】本考案の主要部の平面図である。
【符号の説明】
１．缶タブ　　　　２．タブ折り目（タブ長さの中間）　　３．缶本体
４．缶本体上面中心　　　５．缶タブ先端部　　　６．缶本体最上部
７．缶本体上面部　　　　８．缶本体底面部
【図１】
0003099474.tif 000003
【図２】
0003099474.tif 000004
【図３】
0003099474.tif 000005
(57)【要約】【課題】　従来の、ズボンの乾燥を目的に作られたハンガーは、吊るす作業も面倒ながら、コンパクトさに欠け製造費用のかかるものであった。本考案ではズボンを簡単に吊るせる日常用ハンガーを提供する。【解決手段】ハンガー１に付属するフック２に、二つ折りにしたズボンの向かい合うベルト穴をそろえて掛けられるようにすることで、ズボンを簡単に吊るせるようにした。【選択図】　図２
0003099471.tif 000002
【実用新案登録請求の範囲】
【請求項１】
　二つ折りにしたズボンの向かい合うベルト穴二つを、ハンガーに付属する一つのフックに通し、ズボンをその一箇所で吊るすことを特徴とするズボン用フック付きハンガー。
【考案の詳細な説明】
【考案の詳細な説明】
【技術分野】
【０００１】　本考案は、ベルト穴を所有するズボンを二つ折りにした状態で簡単かつコンパクトに吊るすことができるとともに、その簡潔な構造によって、製造コストおよび資源を大幅に削減することが可能なズボン用フック付きハンガーに関する。
【背景技術】
【０００２】　従来のズボン用ハンガーは、上衣を掛けることを目的とした構造にズボンも吊るせる工夫を加えたものが主流である。また、ズボンのみを吊るす目的で考案されたハンガーも２箇所以上の小型クリップを有するか、幅広のクリップを有するなどしてズボンのウエスト部分全体を支える構造になっている。いずれについても本体がコンパクトでなく、吊るす作業も手間となっている。
【考案が解決しようとする課題】
【０００３】　前述のように、従来のズボン用ハンガーはコンパクトさに欠け、吊るす作業も面倒である。また、クリップ構造を持つハンガーの場合、ズボンによっては厚みが合わず利用できない場合があるという問題点を有している。
【課題を解決するための手段】
【０００４】　以上の課題は衣服の乾燥を主な目的として開発している点にあるため、本考案は日常にズボンを吊るすことを主な目的とし、これらの解決を図るものである。即ち、請求項１に記載の如く、ハンガー部分にフックのみを取りつけることでコンパクトな本体を実現し、吊るす作業はズボンを二つ折りにしてベルト穴をフックにかけるだけと簡単にする。また吊るす部分がベルト穴の為、ズボンの素材やサイズを選ばず幅広く利用できる。
【考案を実施するための最良の形態】
【０００５】　次に、本考案の実施の形態を説明する。　本考案は、ズボンを簡単に吊るすことを可能にし、かつ不使用時にも場所を取らないコンパクトな形状を持つフック付きハンガーで、それを図面について説明すれば、ハンガー１にフック２を取りつけたものである。　また、ハンガー１フック２は角度９０度を成し、フック２にズボン３のベルト穴４をかけると、ズボンの広い面が物干棒に対して垂直になるよう構成されている。　また、フック２は、ベルト穴４をスムーズに通り、かつズボン３を支えるのに十分な強度を持つよう、幅広で薄く短めの板状に形成されている。【０００６】　前記フック付きハンガーは、本例においてはフック２を固定のものとしているが、ハンガー１を軸にフック２が回転する形状に形成することもできる。また、フック２を板状ではなく棒状に形成することもできる。　そして、ハンガー１は物干棒に掛ける形状ではなく、壁に固定する形状に形成することもできる。【０００７】　さらに、ハンガー１とフック２の間に装飾品やサイズプレートを付加して、インテリア用途や店舗での使用に適するように構成することもできる。
【考案の効果】
【０００８】　本考案は以上の如く構成したので、次のような効果を奏するのである。即ち、請求項１の如く、利用者は二つ折りにしたズボンの向かい合うベルト穴二つを、ハンガーに付属する一つのフックに通し、ズボンをその一箇所で吊るすことができるので、家庭で手軽に使用できるだけでなく、吊るす作業が簡単なことから体の不自由な人やお年よりにも便利である。　また、サイズを選ばないコンパクトなズボン用ハンガーを安価で提供することができるため、ズボンを多く扱う店舗等で省スペース・省コストを実現することが可能となる。
【図面の簡単な説明】
【０００９】
【図１】ズボン用フック付きハンガーの斜視図である。
【図２】実際にズボンを吊った状態を示す概略図である。
【符合の説明】
【００１０】　１　ハンガー　２　フック　３　ズボン　４　ベルト穴
【図１】
0003099471.tif 000003
【図２】
0003099471.tif 000004
(57)【要約】
【目的】　既存屋根の場合，屋根表面材を剥がさなければ設置出来なかった融雪装置を，屋根表面材を剥がさなくとも，金属パイプと自己温度制御型ヒーターを利用して，雪止め金具に固定して融雪を出来るようにする。
【構成】　端に，ゴム製のキャップ１をかぶせて防水構造とし錆び止め表面処理をした金属パイプ３に，電線ケーブル４を接続した自己温度制御型ヒーター２を挿入し，挿入個所の部分に再びゴム製のキャップをかぶせて防水構造とし，雪止め金具６に固定して，電気を通電することによってその発熱で雪を融かす。
【選択図】　図１
0003099472.tif 000002
【実用新案登録請求の範囲】
【請求項１】
　端に，ゴム製のキャップ１をかぶせて防水構造とし，錆び止め表面処理をした金属製のパイプ３に，電線ケーブル４を接続した自己温度制御型電気ヒーター２を挿入し，挿入個所の部分に再びゴムキャップ５をかぶせて防水構造とし，屋根表面材に設置された雪止め金具６に固定し，電気を通電することによって雪を融かす，融雪装置。
【考案の詳細な説明】
【考案の詳細な説明】
【考案が解決しようとする課題】
【０００１】　従来，屋根融雪装置は，屋根表面材，例えばトタン或いは瓦の下側に設置されており，既存屋根の場合は，屋根表面材を剥がして設置しなければならないと言う問題点を有していた。
【課題を解決すための手段】
【０００２】　上記問題点を解決するために，錆び止め表面処理をした金属製のパイプに自己温度制御型電気ヒーターを挿入し，両端にゴムキャップをかぶせて防水構造としたものを，既存屋根に取り付け可能な雪止め金具を設置し，そこに固定し，電気を通電することによって雪を融かすようにした。
【考案の効果】
【０００３】　屋根表面材を剥がさずに融雪装置を設置することが出来るので，今までの屋根表面材がそのまま使える様にした。
【図面の簡単な説明】
【図１】屋根融雪装置を設置した斜線図である。
【図２】融雪状況の断面図である。
【図３】ヒーターの断面図である。
【符号の説明】
　１　　　防水ゴムキャップ
　２　　　自己温度制御型電気ヒーター
　３　　　錆び止め処理をした金属パイプ
　４　　　電線ケーブル
　５　　　防水ゴムキャップ
　６　　　雪止め金具
　７　　　電線ケーブル中継箱
　８　　　ヒーター入切制御装置
　９　　　ヒーター入切スイッチ
１０　　　雪
【図１】
0003099472.tif 000003
【図２】
0003099472.tif 000004
【図３】
0003099472.tif 000005
(57)【要約】
【課題】
太陽光を集光し任意の場所へ放光するための、効率的な装置を提案する。
【解決手段】
光の集光方法を放物面鏡を用いることと、伝達方法を光ファイバーの伝達部分とレンズや放物面鏡の投射部分を組み合わせることにより課題を解決する。
【選択図】　図１
0003099452.tif 000002
【実用新案登録請求の範囲】
【請求項１】
　放物面鏡を用いて太陽光を集光し、光ファイバーに入光させ自由な場所へいったん放出し、その放出した光を、放物面鏡、もしくは凸レンズを用いて遠方へ投射し、その投射された光を鏡、又は光ファイバーに入光させ任意の場所へ投光する装置。
【考案の詳細な説明】
【技術分野】
【０００１】
　本考案は、太陽光を任意の場所へ投光する装置である。
【背景技術】
【０００２】
　従来、太陽光を任意の場所へ投光するには、光センサーを用いたり、太陽の軌道を追いかけたりしながら装置を太陽に向け、鏡の反射を数度繰り返し投光する方法が考えられたが、思い通りの場所へ投光できなかったり、又凸レンズを用いて集光し、光ファイバーを介して投光する方法があったが、是も価格が高い、効率が良くないなどの問題があった。
【０００３】
また、集光場所は通常、太陽光の良くあたる南向き屋上などが選ばれるが、光の最終の放出場所は、太陽のあたらない、北側の地下室などであるため全てに光ファイバーを用いると光の減衰や、コスト面で問題があった。
【考案の開示】
【考案が解決しようとする課題】
【０００４】
　光を目的の場所へ照射する手段として、レンズや鏡を用いた光学系、光ファイバーを用いた光学系が従来技術として存在する。
【０００５】
前者は直進のみを使用しなければならず、設計および設置が難しい。
【０００６】
後者は設置は容易であるが、価格が高い、光の減衰が大きいなどの問題があり、本考案では、これらの問題を解決する。
【課題を解決するための手段】
【０００７】
この改善策として、集光光学系に１枚の放物面鏡を使用することにより、集光面積が有効に活用され、またレンズ光学系のガラスなどの光の減衰が大幅になくなり、集光効率が上昇する。
【０００８】
　本考案は、まず放物面鏡で光を集光し光ファイバーに入光し、最終照射場所までの間の直線部分で設計、設置の容易な場所を光ファイバーからもう一度レンズ、鏡を用いた光学系使用することで問題を解決をすることを最も主要な特徴とする。
【考案の効果】
【０００９】
　本考案のレンズや鏡を用いた光学系、光ファイバーを用いた光学系の長所を併用することにより、設計、設置が容易でかつ安価な装置を提供できる利点がある。
【実施例１】
【００１０】
図１は本考案の実施例である。
【産業上の利用可能性】
【００１１】
太陽光の集光のみならず、通常のランプなどを光源として使用する投光方法においても、本考案の方法は効率の良い投光方法であるので、野球場などの競技場の照明方法にも利用可能性が有る。
【図面の簡単な説明】
【００１２】
【図１】本考案の集光から放光までの実施例の図である。
【符号の説明】
【００１３】
放物面鏡
焦点
光ファイバー
レンズ
平面鏡
建物
太陽
放出光
【図１】
0003099452.tif 000003
(57)【要約】
【課題】　本考案は、電子レンジを使用して作るケーキ類の製作器に関するものである。従来、電子レンジにおいて使用されている上面中央部に大きな開口部を設けたフード付きの容器では、開口部に当たる食材部分だけが異常に盛り上る水分の蒸発作用から、周端部が早く固形化し、全体的にしっとり感の乏しいケーキができてしまう欠点があったことに鑑み、これらの欠点を一掃した容器を提供することを目的とするものである。
【解決手段】　本考案は、任意深さに成る合成樹脂製器体１の底面部周縁に、高さのある脚部２を多数の開口部２'を設けて成る容器体に、蒸気孔４を有する蓋体３を被嵌して成るものである。
【選択図】　　図１
0003099454.tif 000002
【実用新案登録請求の範囲】
【請求項１】
任意深さに成る合成樹脂製器体の底面部周縁に、高さのある脚部を多数の開口部を設けて成る容器体に、蒸気孔を有する蓋体を被嵌して成ることを特徴とするケーキ製作器。
【考案の詳細な説明】
【技術分野】
【０００１】
　本考案はケーキ製作器に関するものであり、特に電子レンジを使用して作る容器に関するものである。
【背景技術】
【０００２】
　従来、特開平５−１３７４９４号公報（特許第２０４０５０３号）（特許文献１参照）に記載されているような電子レンジによる調理法が知られ、一般家庭において電子レンジによりスポンジケーキやマドレーヌなどを簡単に作ることを目的とする。
【０００３】
　しかし、この調理法で使用する上面中央部に大きな開口部を設けたフードによる容器では、フードの開口部に当たる食材部分だけが異常に盛り上り、全体の成形までには時間がかかり、食材部分の周端部は早く固形化してしまう。また、フードの開口部による水分の蒸発作用から、全体的にしっとり感の乏しい仕上がり状態になることが、経験上判明している。
【０００４】
【特許文献１】特開平５-１３７４９４号公報
【考案の開示】
【考案が解決しようとする課題】
【０００５】
　そこで、本考案は、従来使用されていた容器のこのような欠点を一掃し、食材が全体的に均一化した盛り上りと味と柔和さを保持したスポンジケーキなどを製作する容器を開発し、これを提供することを目的とするものである。
【課題を解決するための手段】
【０００６】
　本考案は、任意深さに成る合成樹脂製器体の底面部周縁に、高さのある脚部を多数の開口部を設けて成る容器体に、蒸気孔を有する蓋体を被嵌して成るものである。
【考案の効果】
【０００７】
　本考案は上記のような構成であることから、マイクロ波は底面部周囲の脚部の等間隔に開設する通口部を通過して器体底面部全体への流通が円滑かつ均一に行われるようになり、これによって器体内部のケーキ材料へのマイクロ波による加熱ムラをなくし、全体が均一の膨らみを形成しかつ十分な湿度を含有保持したケーキを製作することができるのである。
【考案を実施するための最良の形態】
【０００８】
　前記構成の容器体内に所定のケーキ材料を収容した後、電子レンジにかけると、外部からマイクロ波が器体の底面部周囲の脚部の各通口部から底面部下に流通し、底面部全体を均一に加熱するようになる。
【０００９】
　市販のホットケーキミックス（２００ｇ）を使用する所要時間は１５分であるが、このうち電子レンジによる加熱時間は６分間であり、３〜４倍にも膨らむようになる。
【実施例】
【００１０】
　１は任意深さに成る合成樹脂製容器体で、この容器体の底面部周縁には後記通口部２'を形成できる高さを有する脚部２を設ける。
【００１１】
　この脚部２に設けられる重要なものは通口部２'の存在であり、通口部の形状ではないから、その形状は波形に限らず角形など任意である。
【００１２】
　２'・・は前記脚部２に等間隔に形成した多数の通口部である。
【００１３】
　３は蓋体で、この蓋体の適所には蒸気孔４を設ける。
【図面の簡単な説明】
【００１４】
【図１】全体の平斜視図
【図２】容器体の底斜視図
【図３】図１Ａ−Ａ線断面図
【符号の説明】
【００１５】
　　　　１　　　　　　　　合成樹脂製容器体
　　　　２　　　　　　　　脚部
　　　　２'　　　　　　　通口部
【図１】
0003099454.tif 000003
【図２】
0003099454.tif 000004
【図３】
0003099454.tif 000005
(57)【要約】
【課題】手提げ式に容易に持つことが可能なランドセルを提供する。
【解決手段】ランドセル１は、前側板、両側マチ２、背当板３、底部板を有し上部を開放した筐状の本体４と、前記背当板３の上縁にその端部縁を連繋し、前記本体４の開放上部覆うようになした蓋部５と、前記背当板３の上部に固定した背環６に端部を取り付けた一対の背負ベルト７とを備える。その両端に係止金具８を設けた把手部材９を、該各係止金具８を各背環６に係脱可能に係止することによって取り付ける。必要に応じて把手部材９を取り付けることにより、この把手部材９を片手で持って、ランドセル１を手提げ式に容易に運ぶことができる。
【選択図】図１
0003099457.tif 000002
【実用新案登録請求の範囲】
【請求項１】
　前側板、両側のマチ、背当板、底部板を有し上部を開放した筐状の本体と、前記背当板の上縁にその端部縁を連繋し、前記本体の開放上部を覆うようになした蓋部と、前記背当板の上部に固定した一対の背環に端部を取り付けた二本の背負ベルトとを備えたランドセルであって、その両端に係止部を設けた把手部材を、本体上部の所定部位に設けた被係止部に前記係止部によって係脱可能に取り付けたことを特徴とするランドセル。
【考案の詳細な説明】
【技術分野】
【０００１】
　本考案は、必要に応じて、手提げ式に片手で容易に持つことが可能なランドセルに関するものである。
【背景技術】
【０００２】
　従来の一般的なランドセルは、前側板、両側のマチ、背当板、底部板を有し上部を開放した筐状の本体と、前記背当板の上縁にその端部縁を連繋し、前記本体の開放上部を覆うようになした蓋部と、前記背当板の上部に固定した一対の背環に端部を取り付けた二本の背負ベルトとを備えたものであって、手提げ式に容易に持ち得るように構成したものは提案されていなかった。
【特許文献１】特開２００１−２８６３１６号公報
【考案の開示】
【考案が解決しようとする課題】
【０００３】
　従来のランドセルは、教室や家庭内などで持ち運ぶ場合は背負ベルトなどを掴んで手提げ式に持ったり、両手で抱えるが、身体が小さく非力な小学校低学年の生徒にとっては、この持ち運びが大変に苦痛であるという問題があった。本考案は、この問題を解消することを課題とし、この課題を解決したランドセルを提供することを目的とする。
【課題を解決するための手段】
【０００４】
　上記目的を達成するために、請求項１に記載の本考案は、前側板、両側のマチ、背当板、底部板を有し上部を開放した筐状の本体と、前記背当板の上縁にその端部縁を連繋し、前記本体の開放上部を覆うようになした蓋部と、前記背当板の上部に固定した一対の背環に端部を取り付けた二本の背負ベルトとを備えたランドセルであって、その両端に係止部を設けた把手部材を、本体上部の所定部位に設けた被係止部に前記係止部によって係脱可能に取り付けたことを特徴とするものである。
【考案の効果】
【０００５】
　請求項１に記載の本考案は、把手部材を、その両端の係止部を被係止部に離脱可能に係止して取り付けたので、前記把手部材を掴んで手提げ式に楽に持ち運ぶことができるうえ、把手部材が不必要な場合はこれを取り外すことができるという効果を奏する。
【０００６】
　次に、本発明の好適な実施形態を添付図面の図１〜図７に基づいて説明する。ここにおいて、図１はランドセルの背面図、図２は拡大部分側面図、図３は把手部材の分解した状態の平面図、図４は把手部材の平面図、図５は同じく側面図、図６は図４の拡大Ａ−Ａ線断面図、図７は背環の正面図である。
【０００７】
　図１及び図２に示すように、ランドセル１は、前側板（図示せず）、両側マチ２、背当板３、底部板（図示せず）を有し上部を開放した筐状の本体４と、前記背当板３上縁にその端部縁を連繋し、前記本体４の開放上部と前側板を覆うようになした蓋部５と、前記背当板３の上部に固定した被係止部である一対の背環６と底部板の連結部材（図示せず）に各両端を取り付けた二本の背負ベルト７とを備える。また、前記各背環６は、必要に応じて、これらに係脱可能に連結し得る係止部である係止金具８を両端に備えた把手部材９を、前記各係止金具８によって取り付けるものである。
【０００８】
　図３〜図７に示すように、把手部材９は、両端を幅狭く形成した外皮材１０と、弱い弾力性を有するシート状スポンジ片を重ね合わせた弾力体１１に網体１２を被せてなる心材１３と、一対の三角リング１４と、前記一対の係止金具８とからなる。前記把手部材９を前記各部材８，１０，１１，１３，１４から作成するには、長手方向中央に心材１３を配置した外皮材１０を包むように丸め、外皮材１０の長手方向両縁を合わせて縫合するとともに、外皮材１０の両端部分を、それぞれ三角リング１４の一辺を挟み折り返して重ね合わせ、この重ね合わせ部分を鋲１５で固定する。続いて、各三角リング１５に各係止金具８を取り付けて把手部材９が完成する。この把手部材９は、適度の弾力性による復元力と掴んで感じる柔らかさをもっている。
【０００９】
　図１、図２及び図７に示すように、背環６は、三角形のリング状をなし、背当板３の上部に固定した固定板１６に設けた軸受１７にその一辺を回転可能に挿通されている。
【００１０】
　図１及び図２に示すように、固定板１６には、両背環６の間に位置して設けた軸受１８ａに回転可能に支持された掛け金具１８を設けてある。この掛け金具１８は、壁などに設けた引っ掛け用の掛け突起にランドセル１を掛けておくためのものである。
【００１１】
　なお、本考案は上記実施形態になんら限定されるものではなく、例えば、被係止部は、背環６ではなく固定板１６に別途設けた係止用の金具であってもよいほか、固定板１６に設けるのではなく、本体４両側のマチ２の上部に設けてもよい。
【図面の簡単な説明】
【００１２】
【図１】ランドセルの背面図。
【図２】拡大部分側面図。
【図３】把手部材の組立て平面図。
【図４】把手部材の平面図
【図５】同じく側面図。
【図６】図４の拡大Ａ−Ａ線断面図。
【図７】背環の正面図。
【符号の説明】
【００１３】
　１　　ランドセル
　２　　マチ
　３　　背当板
　４　　本体
　５　　蓋部
　６　　背環
　７　　背負ベルト
　８　　係止金具
　９　　把手部材
　１０　　外皮材
　１１　　復元体
　１２　　網体
　１３　　心材
　１４　　三角リング
　１５　　鋲
　１６　　固定板
　１７　　軸受
　１８　　掛け金具
　１８ａ　　軸受
【図１】
0003099457.tif 000003
【図２】
0003099457.tif 000004
【図３】
0003099457.tif 000005
【図４】
0003099457.tif 000006
【図５】
0003099457.tif 000007
【図６】
0003099457.tif 000008
【図７】
0003099457.tif 000009
(57)【要約】
【課題】やかんから噴出す水蒸気を利用した安全な蒸し器・蒸篭をつくる。
【解決手段】やかん１４の間口にケーキ型製菓器具９を装着することで蒸篭を安定させ、蒸篭からの水滴がやかん１４の湯に混ざることを防止した。ケーキ型製菓器具９にフック穴１３を、蒸篭胴５にフック７をつくり、フック穴１３にフック７を差し込むことでケーキ型製菓器具９と蒸篭胴５を結合可能にした。同様に蒸篭胴５の外側に結合重ね凸４を、蒸篭蓋１の内側に結合重ね凸６をつくり重ね合わせることで蒸篭胴５と蒸篭蓋１を結合可能にした。蒸篭蓋１、蒸篭胴５、ケーキ型製菓器具９を結合させることにより、やかん１４から取っ手（つまみ）２を持って取り外しや持ち運びが可能となり、火傷等の不都合が回避された安全な蒸し器・蒸篭が可能となった。蒸篭からの水滴受けをケーキ型製菓器具９とすることにより用途が拡大した。
【選択図】　　　　　図１４
0003099453.tif 000002
【実用新案登録請求の範囲】
【請求項１】
　やかんから噴出す水蒸気を利用するため、ケーキ型製菓器具をやかんの蓋の代わりに取り付け水蒸気を集め、ケーキ型製菓器具の上に蒸篭を置くことにより蒸篭からの水滴をケーキ型製菓器具で受け、やかんの湯を濁らせること無く利用することを可能にした蒸篭
【請求項２】
　水滴受けをケーキ型製菓器具としての利用を可能にし用途を拡大した蒸篭
【請求項３】
　蒸篭蓋、蒸篭胴、ケーキ型製菓器具を結合可能にすることで蒸篭蓋の取っ手（つまみ）で全体をやかんから取り外し持ち運び可能にし、火傷になりやすい状況を回避した蒸篭
【考案の詳細な説明】
【技術分野】
【０００１】
　本考案は、やかんで水を沸かしたときに出る水蒸気を利用して容易に蒸し物ができる蒸篭に関するものである。
【考案の開示】
【考案が解決しようとする課題】
【０００２】
　従来の蒸篭ではやかんを利用することを前提としていない為、無理に取り付けようとすると安定性と取り外し時の火傷の危険性、水滴がやかんの湯に混ざってしまうという不都合があった。
【課題を解決するための手段】
【０００３】
　上記課題を解決するために、やかんの蓋の口径に合うケーキ型製菓器具を利用することで安定性と水滴の混ざり防止を可能にした。ケーキ型製菓器具の縁にフック穴をつくり蒸篭胴下側のフックを差し込み結合可能とし、蒸篭胴上側の凸部分と蒸篭蓋下側の凸部分を重ねることで結合可能とし、ケーキ型製菓器具、蒸篭胴、蒸篭蓋が結合することにより、火傷せずに取り外したり持ち運ぶことを可能にした。
【考案の効果】
【０００４】
　やかんの水蒸気を無駄にせず利用し、安全に手軽に蒸し物を作ることができた。
【産業上の利用可能性】
【０００５】
　食産業の個食に対する冬場の簡便利用としての用途が見込まれる。
【図面の簡単な説明】
【０００６】
【図１】蒸篭蓋を真横から透過した側面図である。
【図２】蒸篭蓋を真上からみた図である。
【図３】蒸篭蓋を真下からみた図である。
【図４】蒸篭胴を真横からみた側面図である。
【図５】蒸篭胴を真上からみた図である。
【図６】蒸篭胴を真下からみた図である。
【図７】水滴受けのケーキ型製菓器具を真横から透過した側面図である。
【図８】水滴受けのケーキ型製菓器具を真上からみた図である。
【図９】水滴受けのケーキ型製菓器具を真下からみた図である。
【図１０】水滴受けのケーキ型製菓器具を上からみた斜視図である。
【図１１】蒸篭蓋、蒸篭胴、ケーキ型製菓器具を結合させた状態の真横からの断面図である。
【図１２】蒸篭蓋と蒸篭胴の凸部分を重ねて結合させた部分の拡大図である。
【図１３】蒸篭胴のフック部分をケーキ型製菓器具のフック穴に差し込み結合させた部分の拡大図である。
【図１４】やかんに蒸篭蓋、蒸篭胴、ケーキ型製菓器具を結合させて使用している図である。
【符号の説明】
【０００７】
　１　　蒸篭蓋
　２　　取っ手（つまみ）
　３　　結合位置マーク
　４　　蒸篭蓋内側の結合重ね凸
　５　　蒸篭胴
　６　　蒸篭胴外側の結合重ね凸
　７　　蒸篭胴外側下の結合差し込みフック
　８　　蒸篭胴の中仕切り
　９　　ケーキ型製菓器具
１０　　水蒸気噴出し誘導穴
１１　　水滴受け部分
１２　　ケーキ型製菓器具の縁
１３　　ケーキ型製菓器具の結合差し込みフック穴
１４　　やかん
【図１】
0003099453.tif 000003
【図２】
0003099453.tif 000004
【図３】
0003099453.tif 000005
【図４】
0003099453.tif 000006
【図５】
0003099453.tif 000007
【図６】
0003099453.tif 000008
【図７】
0003099453.tif 000009
【図８】
0003099453.tif 000010
【図９】
0003099453.tif 000011
【図１０】
0003099453.tif 000012
【図１１】
0003099453.tif 000013
【図１２】
0003099453.tif 000014
【図１３】
0003099453.tif 000015
【図１４】
0003099453.tif 000016
(57)【要約】
【課題】シートベルトにカバーを被せて、見た目を楽しく、手触りもよくする。
【解決手段】カバー地５は布製で、２つ折りにしてシートベルト２を包み込む大きさに形成され、両側縁には面ファスナ６等の留め具を取り付ける。カバー１の内幅は、シートベルト２の幅より少し大きく作り、カバー１の中をシートベルト２が自由に動けるようにする。カバーをアンカー部３から吊るすために、その上端に吊り紐７を取り付ける。
【選択図】図２
0003099413.tif 000002
【実用新案登録請求の範囲】
【請求項１】
　２つ折りにしてその中にシートベルトを包み込む細長いカバー地と、該カバー地の両側縁同士を留め合わせる、面状ファスナ、ホック、スナップ等の留め具と、該カバー地の上端に設けた、シートベルトのアンカー部に係合する吊り紐からなるシートベルトカバー。
【請求項２】
　該吊り紐をゴムひも等の弾性材で構成した請求項１に記載のシートベルトカバー。
【考案の詳細な説明】
【技術分野】
【０００１】
　この考案は自動車のシートベルトに被せるカバーに関する。
【背景技術】
【０００２】
　シートベルトは衝突時に運転者の生命を守るのに効果があるが、装着する人の割合は必ずしも高くない。その理由は装着が面倒というだけでなく、自動車に装備されているベルトが、素材が安っぽく、手触りもよくないというのも理由になっている。
【考案の開示】
【考案が解決しようとする課題】
【０００３】
　この考案は、シートベルトにカバーを被せて、見た目を楽しく、手触りもよくすることを課題とする。
【課題を解決するための手段】
【０００４】
　この考案のシートベルトカバーは、２つ折りにしてその中にシートベルトを包み込む細長いカバー地と、該カバー地の両側縁同士を留め合わせる面状ファスナ、ホック、スナップ等の留め具と、該カバー地の上端に設けた、シートベルトのアンカー部に係合する吊り紐からなる（請求項１）。吊り紐は、一部または全部をゴムひも等の弾性材で構成してもよい（請求項２）。
【０００５】
　このカバーは、細長いカバー地を長さ方向に沿って２つ折りにして、シートベルトの肩および胸に当たる部分を間に挟み込み、留め具でカバー地の両側縁同士を留め合わせる。さらに、吊り紐をシートベルトのアンカー部に係合する。
【０００６】
　なお、カバー地は起毛した布など、すべり易くて手触りがよいもの、またクッション性に富んだものが好ましい。色や柄は、好みのものを選べるようにするとよい。
【考案の効果】
【０００７】
　このようなシートベルトにカバーを被着することにより、従来のシートベルトの暗いイメージを払拭でき、手触りのよい感触を楽しむことができ、衣服を傷めることも少ない。また、カバーの上端に取り付けた吊り紐を使ってカバーをシートベルトのアンカー部から吊り下げるようにしたので、使用中に、シートベルトに沿ってカバーがずり落ちることがなく使い易い。吊り紐の一部または全部をゴムひも等の弾性材で構成して伸び縮みするようにすれば、乗員の体が前後に動いた場合に吊り紐が伸び縮みしてカバーが衣服と擦れるのを防止することができる。
【考案を実施するための最良の形態】
【０００８】
　この考案のカバー１は、図１に示すように、乗員の肩から胸に当たる部分のシートベルト２に被せる。図示のシートベルトはよく知られた３点式のものであり、符号３は窓際に取り付けられるアンカー部、符号４はタングである。
【０００９】
　図２はカバー１の詳細を示したもので、カバー地５は布製で、２つ折りにしてシートベルト２を包み込む大きさに形成され、一方の側縁に沿って間隔を置いて面ファスナ６のフック側を取り付け、他方の側縁には、対応する位置に面ファスナ６のループ側を取り付ける。カバー１の内幅は、シートベルト２の幅より少し大きく作り、カバー１の中をシートベルト２が自由に動けるようにする。カバー地５は起毛した布など、すべり易く、手触りがよいものが好ましい。
【００１０】
　カバーの上端には吊り紐７を取り付ける。吊り紐をアンカーボルト３ａに掛けるために、吊り紐７の中ほどに一対の短い紐８を設け、それらの先端にホック９の雄雌を取り付ける。
【００１１】
　このカバーを取り付けるには、シートベルト２をカバー地で包み込み、カバー地５の両縁を面ファスナで結合する。そして、吊り紐７をアンカー部３の裏に回し、アンカーナット３ａの上で雌雄のホック９を掛合することにより、カバー１をアンカー部３から吊り下げる。
【００１２】
　こうしてカバーを取り付けておけば、いつものようタング４をキャッチャー４ａにはめ込んでシートベルトを装着するだけで、カバーが肩と胸の部分に当たる。
【００１３】
　この考案のカバーはアンカー部３から吊り下げるようにしたので、使用中にカバーがシートベルトに沿ってずり落ちて来ないので使いよい。なお、吊り紐は、その一部または全部をゴム紐にして伸び縮みするようにしてもよく、こうすると、体を前後に動かしたときに、吊り紐が伸び縮みするので、カバーと衣服が擦れないので具合がよい。
【図面の簡単な説明】
【００１４】
【図１】カバーを被着したシートベルトの使用状態側面図である。
【図２】カバーの要部構造図であり、カバーの上端を開いて示す。
【符号の説明】
【００１５】
　１　　カバー
　２　　シートベルト
　３　　アンカー部
　５　　カバー地
　６　　留め具（面ファスナ）
　７　　吊り紐
【図１】
0003099413.tif 000003
【図２】
0003099413.tif 000004
(57)【要約】
【課題】　機械的製麺において、麺帯を進行方向と同時に幅方向にも圧延しながら、麺帯の両耳部が折り重なって圧延されるのを避けることができる製麺圧延機を提供する。
【解決手段】　両端にツバを有するメンロールとこれに嵌合して平行に位置するオンロールとから成る圧延ユニットを複数段直列に配する製麺圧延機において、麺帯の進行方向に向かって後段に至るに従って順次徐々に広いロール幅を有する圧延ユニットを配する。
【選択図】　図１
0003099871.tif 000002
【実用新案登録請求の範囲】
【請求項１】
　　両端にツバを有するメンロールとこれに嵌合して平行に位置するオンロールとから成る圧延ユニットを複数段直列に配する製麺圧延機において、麺帯の進行方向に向かって後段に至るに従って順次徐々に広いロール幅を有する圧延ユニットを配することを特徴とする製麺圧延機。
【考案の詳細な説明】
【考案の詳細な説明】
【技術分野】
【０００１】　本考案は、幅方向の圧延をツバで規制するロール圧延による機械製麺に関する。
【背景技術】
【０００２】　製麺機にて機械的手段により麺類を製造する場合に採用される麺類用のロール圧延機は、一般には図２に示すように、両端にツバを有するメンロールとこれに嵌合して平行に位置するオンロールとから成る圧延ユニットが複数段直列に配されており、ロール幅はどの段の圧延ユニットにおいても同一である。
【考案が解決しようとする課題】
【０００３】　通常、ロールで圧延された麺帯は幅方向にも広がろうとする性質を持ち、したがって圧延ユニットから出てきた麺帯の幅はそのロール幅より少し広くなっている。この麺帯を、前の段の圧延ユニットと同じロール幅を有する次の段の圧延ユニットに通そうとすると、麺帯の両耳部が折れ曲がってロールに食い込まれて圧延されることが多い。このような麺帯は、両耳部と中央部で麺密度が異なり、また、両耳部が乾きやすい状態になっていて、製麺上、好ましくない。
【０００４】　本考案の目的は、幅方向の圧延をツバで規制するロール圧延による機械製麺において、麺帯が幅方向にも圧延されながらその両耳部が折れ曲がって圧延されることのない複数段ロール圧延機を提供することにある。
【課題を解決するための手段】
【０００５】　そのために、複数段ロール圧延機の圧延ユニットの構成を、麺帯の進行方向に向かって後段に至るに従って順次徐々に広いロール幅を有する圧延ユニットを配するものとした。
【考案を実施するための最良の形態】
【０００６】　本考案の複数段ロール圧延機で麺帯を圧延する場合、麺帯は進行方向に圧延されると同時に幅方向にも広がりながら徐々に薄く圧延されていく。この場合、麺帯の両耳部はツバに規制されながらも無理なく幅方向に広がるゆとりがあるので、次の段の圧延ユニットで両耳部が折れ曲がって圧延されることが避けられる。
【実施例】
【０００７】　図１には、本考案に係る複数段ロール圧延機の一例が示されている。当該圧延機は、複数の圧延ユニット１、２、３から構成されていて、各圧延ユニットのロール幅は、麺帯の進行方向に向かって後段に至るに従って順次徐々に広くなっている。【０００８】　同圧延ユニットにおいて、メンロール１ａ、２ａ、３ａはその両端にツバ１１ｂおよび１２ｂ、２１ｂおよび２２ｂ、３１ｂおよび３２ｂを有し、これに嵌合して平行に位置するオンロール１ｃ、２ｃ、３ｃが配置されている。そしてロール対１ａおよび１ｃ、２ａおよび２ｃ、３ａおよび３ｃのロール幅は順次徐々に広くなっている。
【考案の効果】
【０００９】　このような構成の複数段ロール圧延機においては、これで圧延される麺帯の両耳部はツバに規制されながらも無理なく幅方向に広がるゆとりがあるので、次の段の圧延ユニットで両耳部が折れ曲がって圧延されるのを避けることができる。
【図面の簡単な説明】
【図１】本発明に係る製麺用複数段ロール圧延機の一例を示す平面図。
【図２】従来の製麺用複数段ロール圧延機の一例を示す平面図。
【符号の説明】
０→圧延される麺帯
１→一段目の圧延ユニット
２→二段目の圧延ユニット
３→三段目の圧延ユニット
１ａ、２ａ、３ａ→メンロール
１１ｂおよび１２ｂ、２１ｂおよび２２ｂ、３１ｂおよび３２ｂ→ロールツバ
１ｃ、２ｃ、３ｃ→メンロール
【図１】
0003099871.tif 000003
【図２】
0003099871.tif 000004
(57)【要約】　　　（修正有）【課題】シャンプー・リンス等詰め替え用パックをそのまま収納することにより、注入時の液だれ、時間を短縮できる容器を提供する。【解決手段】透明容器の前面を開閉する事により、詰め替え用パックをそのま容器に収納することが出来、液だれ、時間短縮になり、かつ容器を透明にすることで内容物が一目でわかる。【選択図】　　図１
0003099878.tif 000002
【実用新案登録請求の範囲】
【請求項１】
　透明容器の前面を開閉する事により、詰め替え用パックをそのまま容器に収納する事ができ、液だれ・時間短縮になり、かつ容器を透明にすることで内容物が一目でわかる詰め替えらくらく透明容器。
【考案の詳細な説明】
【技術分野】
【０００１】　本考案は、シャンプー・リンス等、詰め替え用パックをそのまま収納する透明容器を提供しようとするものである。
【背景技術】
【０００２】　シャンプー・リンス等、詰め替え用パックから内容物を容器内に注入している。
【考案の開示】
【考案が解決しょうとする課題】
【０００３】　容器内に詰め替え用パックをそのまま収納する事により、注入時の液だれ、時間の短縮ができる。
【課題を解決するための手段】
【０００４】　本考案は、詰め替え用パックをそのまま挿入できるよう、容器の前面を開き、詰め替え用パックを収納し、前面を閉じる。
【考案の効果】
【０００５】　上述の様に、本考案の詰め替えらくらく透明容器は前面を開け詰め替え用パックをそのまま挿入することにより、高齢者の方でも簡単に詰め替えができ、ゴミの減量化にもつながり、内容物も一目でわかる。
【考案を実施するための最良の形態】
【０００６】　詰め替え用パックの上を吸込みノズル口より大きめに切り取り、透明容器の前面を開け、詰め替え用パックを挿入し閉じ、吸込みノズルを詰め替え用パックの切り取り部分に差し込む。
【実施例】
【０００７】　以下、添付図面に従って一実施例を説明する。１はプラスチック容器、２、３は、１０詰め替え用パックが出し入れ出来る様に前面を開閉するための上下稼動留め具、４、５凸部、６、７凹部にて前面を固定、９注入口からノズル差し込む。８は開ける為の穴。
【図面の簡単な説明】
【０００８】
【図１】本考案の詰め替えらくらく透明容器の一実施例を示す斜め図である。
【図２】詰め替えパックをセットし、前から見た図である。
【符号の説明】
【０００９】１　容器本体
２、３　上下稼動留め具
４、５　凸部
６、７　凹部
８　穴
９　注入口
１０　詰め替え用パック
１１　吸込みノズル
【図１】
0003099878.tif 000003
【図２】
0003099878.tif 000004
(57)【要約】　　　（修正有）【課題】自転車に広告表示機構を組み合わせる。【解決手段】自転車の前後輪の一般にリムとタイヤ部分を支えるスポークが円盤状になっている平面部分に宣伝・広告を印刷したプラスティック・フィル厶を貼り付けて表示する。自転車は自動車に比べて走行速度が遅く、歩行者からも近接した状態にあるので、宣伝・広告内容を読み取ることが容易である。また、プラスティック・フィルムは張替えの行い易い接着面付きのものを使用して、スポンサーとの新規契約や広告内容の変更に対して柔軟に対応が可能である。【選択図】図１
0003099879.tif 000002
【実用新案登録請求の範囲】
【請求項１】
自転車の前後輪のリムとタイヤ部分を支えるスポークに相当する部分が円盤状になっている平面部分の左右両面に広告表示を行う。
以上の如く構成された、広告表示面付き自転車。
【考案の詳細な説明】
【技術分野】
【０００１】この発明は、自転車に広告表示機能を組み合わせたものである。
【背景技術】
【０００２】テレビ、ラジオ、新聞、雑誌等のメディアを利用する方法、ビル等の建造物の壁面や屋上、バス、電車等公共交通機関の車体の内外に掲示する方法、街頭で人が看板を掲示しながら移動するもの、チラシを手渡す方法、インターネット等々がある。
【考案が解決しようとする課題】
【０００３】従来は様様な方法で宣伝・広告を行っているが、消費低迷の現下においては同業他社との競合の中で消費者により強い印象を与え得る方法が必要である。本案は例えば東京・丸の内地区、新橋地区等のビジネスエリアや東京・有明や千葉・幕張等のイベント会場周辺、新宿、渋谷、原宿等商業ゾーンでの特定新商品、イベント開催をアピールする為に有効である。即ち、これらの場所に多くの宣伝対象となる　一般大衆が存在するが、主として宣伝を実施する場所が歩道を中心とした歩行者ゾーンに限定される為、これまではチラシを配ることや立て看板を設置する程度の事に限定されていた。本案では歩道において運転者が乗車しての運転状態ではなく、或いは道路交通法上、自転車の走行可能な歩道を利用して、機動性の有る宣伝・広告を実施することが可能である。また、大衆の中にあっても排出ガスの影響は全くなく、人体のみならず環境への影響もない。
【課題を解決するための手段】
【０００４】自転車の前後輪のリムとタイヤ部分を支えるスポークに相当する部分が円盤状になっている平面部分の左右両面に広告表示を行う。
以上の如く構成された、広告表示面付き自転車
【考案を実施するための最良の形態】
【０００５】以下、本考案の実施の形態について説明する。
本案は自転車の前後輪の一般にリムとタイヤ部分を支えるスポークが円盤状になっている平面部分に宣伝・広告を印刷したプラスティック・フィル厶を貼り付けて表示するものである。自転車は自動車に比べて走行速度が遅く、歩行者からも近接した状態にあるので、宣伝・広告内容を読み取ることが容易である。また、プラスティック・フィルムは張替えの行い易い接着面付きのものを使用して、スポンサーとの新規契約や広告内容の変更に対して柔軟に対応が可能である。即ち、予め広告を印刷したプラスティック・フィルムを用意しておき、現在貼付されている広告の契約期間満了時には即、張替えを行うことが可能である。また、本案のプラスティックフィルムは、バス、電車の車体や主要駅の床面等に広告用として既に使用されているものである。
【考案の効果】
【０００６】歩道、車道をその時の状況に応じて大衆が見やすくなる位置に自転車を移動させることにより注目度が高まり、よって宣伝・広告の効果が高められる。
また、広大なイベント会場や博覧会場等での移動手段としての利用価値も併せて持ちあわせている。これを更に発展させれば、丸の内等のオフィス街において営業担当者や事務職員が職務上の手軽で簡便な移動手段として利用すれば、省エネルギー効果をもたらすものである。その際にはスポンサーとの提携により無料貸出しの方法を用いて普及度を高めれば、宣伝効果と省エネルギー効果の両面での効率化を期待出来るものである。
【図面の簡単な説明】
【図１】本考案の側面図
【図２】本考案の正面図
【図３】本考案の広告表示部
【符号の説明】
　１は広告表示面、
　２は広告、
　３はフィルム角型、
　４はフィルム丸型。
【図１】
0003099879.tif 000003
【図２】
0003099879.tif 000004
【図３】
0003099879.tif 000005
(57)【要約】　　　（修正有）【課題】ワームを針に刺す時、真直ぐ刺せるようにする。【解決手段】ワーム止め針ＡとジグフックＢを固定して投げる為に、鉛Ｃを流し込む。ワーム止め針ＡがジグフックＣから抜け落ちないように、ワーム止め針Ａをワーム止めや釘ギザ撞木の加工をする。ワームを刺し安くする為に、ワーム止め針Ａは真直ぐの針を使用する。【選択図】図１
0003099845.tif 000002
【実用新案登録請求の範囲】
【請求項１】
ＡはＣから抜け防止の為、Ｄのギザ加工の撞木である。
【請求項２】
Ｂはジグフックである。
【請求項３】
ＣはＡとＢを固定する為に、金型で流し込み、固定する。
【考案の詳細な説明】
【０００１】
［考案の属する技術分野］
本考案は、ワームで魚を釣るときに、容易にワームを刺す為の釣り針である。
【０００２】
［従来の技術］
従来、ワームを刺す場合は、ジグフックに刺していた。
【０００３】
［考案が解決しようとする課題］
従来の技術で述べたように、ジグフックにワームを刺すときに、ワームが真直ぐ刺せないという問題点が有していた。
【０００４】
［課題を解決するための手段］
上記の問題点を解決するために、ワーム止メ針に、ワームを刺す。
【０００５】
さらに、ワーム止メ針が鉛から抜け落ちないように、ギザ加工したワーム止メ針を使用した。
【図面の簡単な説明】
【図１】全体図
【図２】鉛部の断面図
【図３】ワーム止メ針ギザ撞木の拡大図
【符号の説明】
Ａ　ワーム止メ針
Ｂ　ジグフック
Ｃ　鉛
Ｄ　ワーム止メ針ギザ撞木
【図１】
0003099845.tif 000003
【図２】
0003099845.tif 000004
【図３】
0003099845.tif 000005
【手続補正書】
【提出日】平成15年8月27日(2003.8.27)
【手続補正１】
【補正対象書類名】明細書
【補正対象項目名】実用新案登録請求の範囲
【補正方法】変更
【補正の内容】
【実用新案登録請求の範囲】
【請求項１】
ワームを容易に装着するためのジグヘッドであって、一端にギザ加工の撞木Ｃを有するワーム止メ針Ａ、ジグフックＢ、ワーム止メ針Ａ及びジグフックＢを固定する鉛Ｃ，以上により構成されるジグヘッド